(57)【要約】      （修正有）【課題】積極的に広告、宣伝やイベント補助を行うことを可能とする広告宣伝専用トラックを提供する。【解決手段】疑似立体映像表示装置５を大型トラック０の荷台の側面あるいは／及びトラック荷台に装備して、より効果的な広告宣伝を行う。疑似立体映像表示装置は、例えばポイント型発光の多色発光ダイオードが直線状に連続して配置された長尺基板と、長尺基板の基板中心を高速回転させる回転機構と、回転機構による回転角度に従って多色発光ダイオードの一部もしくは全部を間欠点灯して空間中に疑似立体映像を表示させる映像表示機構とを備える。【選択図】図１
2020016776.tif 000002
【特許請求の範囲】
【請求項１】
箱型荷台と、
前記箱型荷台の上に設置されて現実空間映像と重畳できる疑似立体映像を表示する機能を備えた疑似立体映像表示装置と
を備えたことを特徴とするアド・トラック。
【請求項２】
前記箱型荷台の外面全体が取り外し可能な構造、或いは前記箱型荷台の一部が取り外し可能な構造、或いは前記箱型荷台の一部が開閉可能な構造、の少なくともいずれかであることを特徴とする請求項１記載のアド・トラック。
【請求項３】
前記疑似立体映像表示装置は、
ポイント型発光の多色発光ダイオードが直線状に連続して配置された長尺基板と、
前記長尺基板の基板中心を高速回転させる回転機構と、
前記回転機構による回転角度に従って前記多色発光ダイオードの一部もしくは全部を間欠点灯して空間中に疑似立体映像を表示させる映像表示機構と
を備えることを特徴とする請求項１または２記載のアド・トラック。
【請求項４】
前記疑似立体映像表示装置は、
平面状映像表示部と、
前記平面状映像表示部の上方に前記平面状映像表示部と略４５度をなして配置される透明板よりなるハーフミラーと、
前記ハーフミラーに平面状映像画面を反射させることにより空間中に疑似立体映像を表示させる映像表示機構と
を備えることを特徴とする請求項１または２記載のアド・トラック。
【請求項５】
前記疑似立体映像表示装置として、
ポイント型発光の多色発光ダイオードが直線状に連続して配置された長尺基板と、
前記長尺基板の基板中心を高速回転させる回転機構と、
前記回転機構による回転角度に従って前記多色発光ダイオードの一部もしくは全部を間欠点灯して空間中に疑似立体映像を表示させる映像表示機構と
を備える第１の立体映像表示部と、
平面状映像表示部と、
前記平面状映像表示部の上方に前記平面状映像表示部と略４５度をなして配置される透明板よりなるハーフミラーと、
前記ハーフミラーに平面状映像画面を反射させることにより空間中に疑似立体映像を表示させる映像表示機構と
を備える第２の立体映像表示部とを
備えることを特徴とする請求項１または２記載のアド・トラック。
【請求項６】
前記疑似立体映像表示装置の後方の背景が無反射素材からなることを特徴とする請求項１乃至５のうちの何れか１項記載のアド・トラック。
【発明の詳細な説明】
【技術分野】
【０００１】
本発明はたとえばアド・トラックに係り、特に、広告、宣伝、イベント活動に供することを目的とするアド・トラックに関する。
【背景技術】
【０００２】
現在、配送用の大型箱型荷台を有するトラックの箱型荷台側面に広告用看板や広告用シートを張り付けたり、塗装をしたりして広告宣伝をしている例がある。特許文献１では、トラックを広告宣伝専用車として使用することを目的としており、トラックの荷台に広告内容を表示したパネルを取り付けている。パネル自体を光らせたり、又は荷台上に配置した照明具によって照明を行ったりしながら、更にスピーカから音声を発しながら道路を走行して広告宣伝を行うとする技術思想を開示している。しかし、特許文献１では、広告、宣伝はトラックの荷台外面のみに限っており、トラックの荷台内部を積極的に活用している訳ではない。
【０００３】
特許文献３は、配送用荷物を搭載運搬しながら広告宣伝をするトレーラーなどの車両に関するものである。大型トレーラーの荷台を覆う外壁を、表面をラッピングあるいは塗装印刷された透明あるいは半透明の樹脂板により構成し、この外壁の内側枠に発光ダイオード、蛍光灯、各種ランプによる照明輻射部を設けて当該樹脂板を内側から照明するとする技術思想が開示されている。しかし、特許文献３では、荷台内側を照明装置として用いて荷台外壁を内側から明るく照明することにより、単なる外壁表面の塗装などより目立って広告宣伝効果は上がるであろうが、平面的効果に止まっている。また、トラックは荷物運搬用として用いることを主目的としており、運搬途中での広告宣伝であり、広告宣伝を主目的としたトラックの活用ではない。
【０００４】
上記２例ともトラック荷台の外板に広告を付しているだけなので、トラック移動中は通行人が広告をじっくり見ることができない。また、トラックが停車していても照明が変わるだけで、広告自体が大幅に変わる訳ではないので、広告効果としてはあまり大きくはないと考えられる。また、トラック荷台全部を積極的に広告宣伝等に使用してはいない。さらに特許文献３のように、現在多く見られるトラック荷台側面の広告宣伝は、配送を主目的としたトラックの配送途中の広告宣伝であり、広告宣伝を主目的としたものではない。トラックは配送のため常に移動しているうえに平面的な表示にとどまっている為、広告宣伝効果はあまり期待できない。
【０００５】
特許文献１のように宣伝効果を高めるべく広告宣伝専用のトラックにしたとしても、トラック側面のラッピングや塗装は平面的なものであり、実際のタレントによる宣伝や実物商品による立体的広告宣伝のような高い宣伝効果を期待することは難しい。
【先行技術文献】
【特許文献】
【０００６】
【特許文献１】特開２００２−２９３２６号公報
【特許文献２】特開２０１３−２００３２３号公報
【特許文献３】実用新案登録第３１５１１２８３号公報
【非特許文献】
【０００７】
【非特許文献１】「Phantom 3D Hologram Display」、［online］、株式会社Life is Style、［平成３０年７月１８日検索］、インターネット<URL: http://phantom-3d.net/>
【発明の概要】
【発明が解決しようとする課題】
【０００８】
本発明は上述した問題点の解決を企図したものであり、積極的に広告、宣伝やイベント補助を行うことを可能とする広告宣伝専用トラック（以後「アド・トラック」と省略する。）を提供することを課題とする。
【０００９】
また、実際のアイドルやタレント、あるいは実際の製品と協働した広告宣伝が可能な新しい広告宣伝専用トラックの実現をも別の課題とする。
【課題を解決するための手段】
【００１０】
上記のような課題を解決するために、本発明においては、疑似立体映像表示装置を大型トラックの荷台の側面あるいは／及びトラック荷台に装備して、より効果的な広告宣伝を行う。
【００１１】
疑似立体映像表示装置として、残像表示装置あるいは透明反射板での反射による疑似立体映像表示装置を用いることにより、装置の後方に存在する実在物及び疑似立体映像の両方を同時に観測可能な、いわゆる拡張現実表示を行う。
【００１２】
本発明の第1の実施態様としては、荷台の側面及び内部に疑似立体映像表示装置を備えた広告宣伝用トラック（アド・トラック）として実現される。
【００１３】
本発明の第２の実施態様としては、上記トラックの荷台外面全体あるいは一部を取り外せる構造とする。あるいは荷台の一部を開閉できる構造とする。
【００１４】
本発明の第３の実施態様としては、疑似立体映像表示装置として後述するＬＥＤ配列基盤を高速回転する表示装置を用いる。
【００１５】
本発明の第４の実施態様としては、疑似立体映像表示装置として後述する平面表示器及びハーフミラーによる表示装置を用いる。
【００１６】
本発明の第５の実施態様としては、疑似立体映像表示装置として上記２種の表示装置を同時に用いる。
【００１７】
本発明の第６の実施態様としては、疑似立体映像表示装置の背景を無反射素材とする。
【発明の効果】
【００１８】
本発明に係るアド・トラックによれば、疑似立体表示装置によって、あたかも空間中に広告宣伝用立体映像を出現させることができ、該疑似立体表示装置を通して背部の実景が見える為、広告宣伝を行う演者との協同等を目に見える形で体現するため、高い広告宣伝効果が得られる。
【００１９】
また、アド・トラックを広告宣伝用の小舞台装置として活用し、大きな効果をあげることもできる。
【図面の簡単な説明】
【００２０】
【図１】本発明の一実施形態に係るアド・トラックの概略斜視図である。
【図２Ａ】本発明の一実施形態に係るアド・トラックに搭載する疑似立体映像表示装置の概略図である。
【図２Ｂ】本発明の一実施形態に係るアド・トラックに搭載する疑似立体映像表示装置の概略図である。
【図３】本発明の一実施形態に係るアド・トラックに搭載する別の疑似立体映像表示装置の概略図である。
【図４】一般に用いられている箱型荷台を有する大型トラックの概略斜視図である。
【発明を実施するための形態】
【００２１】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２２】
図４は一般に用いられている箱型荷台を有する大型トラックの概略斜視図である。同図に示されるように、通常はその箱型荷台の側面１に広告用看板や広告用シートを張り付けたり塗装をしたりして広告宣伝を行っているが、これだけでは平面的な広告であり、大きな宣伝効果は期待できない。
【００２３】
図１は本発明の一実施形態に係るアド・トラック０の概略斜視図である。大型トラックの箱型荷台の側面１を跳ね上げ式として、その荷台２上に第１の疑似立体映像表示装置４及び第２の疑似立体映像表示装置５を装備した例である。もちろん、荷台側面を跳ね上げ式とせず、第１の疑似立体映像表示装置４と第２の疑似立体映像表示装置５を荷台側面に装着してもよく、荷台カバーを全部取り外した状態の荷台中に第１の疑似立体映像表示装置４と第２の疑似立体映像表示装置５を装備してもよいが、後述するように図１の装備方法が最も効果的と思われる。
【００２４】
図２Ａ、図２Ｂは、本発明の一実施形態に係るアド・トラックに搭載する疑似立体映像表示装置の概略図である。第１の疑似立体映像表示装置４は、図２Ａに示す如く、例えば特許文献２に開示される技術思想を発展させた形状として、多色発光ＬＥＤを直線状に多数並べたＬＥＤバー４１を高速回転させ（図２ＡではＬＥＤバー４１の中心を軸４２として回転させる形態を表しているが、本技術思想はこの機構に限定されない。）、ＬＥＤバー４１に含まれる一部もしくは全部のＬＥＤを画像シーケンスに従って間欠点灯させる。すると、目の残像効果により疑似立体映像４３（図２Ｂ）が観測できる。このような第１の疑似立体映像表示装置を成り立たせる技術的思想は例えば非特許文献１にあるものを採用する。
【００２５】
高速回転するＬＥＤバー４１は観測者の目に留まらず、間欠点灯するＬＥＤの発光のみが残像として目に残るため、図２Ｂに示す如く、看者もしくは周囲の者或いは通行者（以下、「看者等」という。）には、あたかも何もない空間に疑似立体映像４３が現出する如く感じられる。また、高速回転するＬＥＤバー４１の後方空間に実在する舞台装置や人物は高速回転するＬＥＤバー４１を通して視認することができる為、例えば人物が前方に見える立体映像のボールを操っているような表現をすることも可能である。
【００２６】
図１の第２の疑似立体映像表示装置５は、図２Ａに示される第１の疑似立体映像表示装置４とは異なり、図３に示すように、通常の平面表示器５１と、その表示面上にある角度をもって設置された透明板よりなるハーフミラー５２とを備えて構成される。図３においては、平面表示器５１を略水平に設置し、その上部に略４５度の角度をつけてハーフミラー５２が設置された形態を一例として示している。ハーフミラー５２を平面表示器５１と同じ水平面から見ると、平面表示器５１に表示された画像がハーフミラー５２で反射され、看者等には、あたかも平面表示器５１上の空間に疑似立体映像５４が存在するかのように浮かび上がって見えることになる。
【００２７】
特に、図１に示すように、トラック荷台中２に第２の疑似立体映像表示装置５を装備した場合、観測者（観客）若しくは看者等５５はトラック荷台平面とほぼ同一平面から観測することになるため、トラック荷台の床面に装備した平面表示器５１は看者等には見えず、ハーフミラー５２に映った疑似立体映像５４に目を奪われることとなる。
【００２８】
第２の疑似立体映像表示装置５も、看者等にハーフミラー５２を通して後方に実在する舞台装置や人物を視認可能ならしめるため、第１の疑似立体映像表示装置４の場合と同じ効果が期待できる。このように、第１の疑似立体映像表示装置４及び第２の疑似立体映像表示装置５も、装置後方は透けて見えるため、看者等には後方に存在する舞台装置や、アイドルタレントのような人物（パフォーマー）５６と、前方に置かれた疑似立体映像表示装置による立体映像とを同時に観測することができることになる。立体映像と人物（パフォーマー）の動作や歌をシンクロさせてやることにより、今までにない拡張現実（ＡＲ）表現を行うことができ、非常に高い広告宣伝効果が期待できる。
【００２９】
なお、第１の疑似立体映像表示装置４及び第２の疑似立体映像表示装置５による疑似立体映像をより明確に視認させるためには、疑似立体映像表示装置の背景５７を暗色（望ましくは黒色）無反射素材とするのが好適である。
【産業上の利用可能性】
【００３０】
本発明によるアド・トラックは広告宣伝用として用いることができるばかりでなく、移動小型舞台として各種イベントの補助舞台としても応用することができ、演劇分野、舞台装置、パフォーマンス会場等への広い応用可能性がある。
【００３１】
従来、現実の光景と仮想現実の映像とを重ねて見る、いわゆる拡張現実表示機器としてはゴーグルを用いていたが、本発明によればゴーグルを用いることなく、裸眼で見える実際の光景の前面に高速回転、間欠点灯するＬＥＤバーによって残像表示される疑似立体映像や、透明薄板反射部に表示される疑似立体映像を重ねて見ることができる。
【００３２】
このような現実と仮想現実とを組み合わせることのできる拡張現実（ＡＲ）によって、広告宣伝の分野ばかりでなく観光や教育や土木建築分野などにもたいへん広い発展応用が期待できる。
【符号の説明】
【００３３】
０…アド・トラック、１…箱型荷台の側面、２…荷台、４、５…疑似立体映像表示装置、４１…ＬＥＤバー、４２…軸、４３…疑似立体映像、５１…平面表示器、５２…ハーフミラー、５４…疑似立体映像、５５…観測者（観客）若しくは看者等、５６…人物、５７…背景
【図１】
2020016776.tif 000003
【図２Ａ】
2020016776.tif 000004
【図２Ｂ】
2020016776.tif 000005
【図３】
2020016776.tif 000006
【図４】
2020016776.tif 000007